(57)【要約】      （修正有）【課題】耳垢を掻き出す作用性を多面に与える耳掻きを提供する。【解決手段】棒状軸部４と軸部４よりも幅広のスプーン形状３部を一体的にしてなる耳掻き１において、スプーン形状３部の一部を軸方向に突出してなる突出部５を形成し、突出部５を除くスプーン形状３部と軸部４の一部をそれぞれの網目部材２で被覆する。その軸方向に突出してなる突出部５により耳の奥にある耳垢を取り出しやすくすると共に突出部５を除くスプーン形状３と軸部４の一部のそれぞれを網目部材２で被覆したことにより網目部材２の全周面で耳垢を集めることができる。【選択図】図１
0003196550.tif 000002
【実用新案登録請求の範囲】
【請求項１】
棒状軸部と該軸部よりも幅広のスプーン形状部を一体的にしてなる耳
掻きにおいて前記スプーン形状部の一部を軸方向に突出してなる突出部
を形成し、該突出部を除くスプーン形状部と軸部の一部をそれぞれの網
目部材で被覆したことを特徴とする耳掻き。
【請求項２】
前記網目部材を縦横の網目部材で形成し該縦網を軸方向の網として形
成してなるそれぞれの網を同一面としたことを特徴とする請求項１記載
の耳掻き。
【請求項３】
前記縦横の網を複数の網で結束し固着されていることを特徴とする請
求項２記載の耳掻き。
【請求項４】
前記網目部材のそれぞれの目を横幅より該軸方向に長い形状としたこ
とを特徴とする請求項１乃至３のいずれか一項に記載の耳掻き。
【請求項５】
前記網目部材を縦横の網目部材で形成し表面側を縦網とし裏面側を横
網としたことを特徴とする請求項１乃至４のいずれか一項に記載の耳掻
き。
【請求項６】
前記網目部材を縦横の網目部材で形成し表面側を横網とし裏面側を縦
網としたことを特徴とする請求項１乃至５のいずれか一項に記載の耳掻
き。
【請求項７】
前記網目部材を１８メッシュ以下の数値メッシュネットとすることを
特徴とする請求項１乃至６のいずれか一項に記載の耳掻き。
【請求項８】
前記軸部の一端の形成と他端の形成を大きさが異なる同一形成とした
ことを特徴とする請求項１乃至７のいずれか一項に記載の耳掻き。
【請求項９】
前記網目部材内部を樹脂製のスポンジとしたことを特徴とする請求項
１乃至８のいずれか一項に記載の耳掻き。
【請求項１０】
前記網目部材内部を繊維質の綿としたことを特徴とする請求項９記載
の耳掻き。
【請求項１１】
前記網目部材を滑材を含有したことを特徴とする請求項１乃至１０の
いずれか一項に記載の耳掻き。
【請求項１２】
前記滑材を亜鉛としたことを特徴とする請求項１１記載の耳掻き。
【請求項１３】
前記滑材をセラミックスとしたことを特徴とする請求項１１記載の耳
掻き。
【請求項１４】
前記滑材を網目部材に塗布したことを特徴とする請求項１２または１
３のいずれか一項に記載の耳掻き。
【請求項１５】
前記滑材をシリコンとしたことを特徴とする請求項１１記載の耳掻き。
【請求項１６】
前記滑材を網目部材に熔着したことを特徴とする請求項１１乃至１５
のいずれか一項に記載の耳掻き。
【請求項１７】
前記滑材を植物油としたこと特徴とする請求１１乃至１６のいずれか
一項に記載の耳掻き。
【請求項１８】
前記滑材を網目部材に含浸させたことを特徴とする請求項１１乃至１
７のいずれか一項に記載の耳掻き。
【考案の詳細な説明】
【技術分野】
【０００１】
本考案は
棒状の軸部と該軸部よりも幅広のスプーン形状部を一体的にしてなる耳掻
きにおいてそのスプーン形状部の一部を軸方向に突出してなる突出部を形
成し、該突出部を除くスプーン形状部と軸部の一部のそれぞれを網目部材
で被覆したことによりその突出部となるスプーン形状の一部により耳穴の
もっとも奥とする凹部状に広がる窪み部分の耳垢を掻き出すものとしまた
その突出部を除くスプーン形状部と軸部の一部を網目部材で被覆すること
によりその耳穴は見えない目視できない部分とする為その網目部材全周部
で耳内側面に密着するその耳垢を探ることなく且その耳内側面との接触支
点を気にすることなく耳垢を掻き出せるものとし更にその通常スプーン形
状で耳掻きを行う作用と共にその網目部材の側面と耳の内側面のそれぞれ
の面の接触率の高さによりその耳の内側面に頑固にこびり付く耳垢をその
耳掻きの軸部を回転させることによりその網目部材とする仮に縦網の複数
の網体により回転スコップのような作用で連続して掻きだし後にその網目
部材の全周部で通常耳垢を掻き出すように耳垢を掻き出しまたその網目部
材の仮に横網とする複数の網体やその網目部材のそれぞれの目の孔により
その耳奥にある耳垢を掻きだす動作時に連続して掻き出し外に運ぶものと
し尚そのスプーン形状部は網目部材の被覆によりその該スプーン形状部の
先端部はその網目部材側面を介して易しく耳穴内側面に接しその軸部を安
定させる為安心してその耳掻きを使用でき安全面が向上する形状としその
スプーン形状の作用性と網目部材全周部の作用性のそれぞれの作用面を兼
ねる形成となる。
【背景技術】
【０００２】
耳掻きはその耳の内側面にその耳掻きの一端形成との接触を安定させや
すい形状で且安全性を兼ねるその内側面全体に一度で均一に接触させる形
状は少なくまた特にその一端形成の複数の作用させる支点からなる異なる
該作用性に対応できる部材はあまり見かけることなくその耳掻きの一端を
スクリュー形状の凹凸の金属体とすることは該凹凸への力の係り方やその
凹部で耳垢を掻き出すというそれぞれは作用を変化させることとしない一
作用性質形状となりまたその軸部の一端をふさふさの綿形成でもその耳の
内側面を回転等で滑らせ耳垢を吐き出すというその一作用性質形状とし尚
その従来なる耳掻きは耳に挿入するという不安感を与えやすく特に硬い部
材からなる一端形成で子供や女性肌等に安全に且安心して使用できる部材
は市場調査等であまり目にすることなくその金属体の凹凸の凸部とする頂
部に係る不安や尚そのスプーン形状の先端部は硬いという体内への耳穴挿
入するという不安等がありまたその一端に網目部材の内部を空間とする網
上の袋を形成する部材がありその空間を有す網体は耳の内側全面に対し接
触率が高い形成となりその卵形状のような円体とすることにより該卵体先
端部は非常によく耳垢を除去し作用するがしかし耳の最奥は凹部状に凹み
が広がるものとする為その凹部にその先端部が行き届きにくいものとなり
またその網目上の全側面は均一に同じ力が分散される為圧力を掛けたい一
支点には集中せず力を掛けにくいものとなりその耳内側面でもとれにくい
耳垢があり個人で作成する耳掻きの使用例に基づき力の弱い一面を感じ尚
その従来なる耳掻きは見えない耳穴を従来形状により接触支点気にしなが
ら耳垢を探るという苦難のそれらの問題点があった。
【先行技術文献】
【特許文献】
【０００３】
【特許文献１】特開２０１２−０３００２８号公報
【考案の概要】
【考案が解決しようとする課題】
【０００４】
耳掻きは前途背景技術に基づく耳掻きの一端形成からなる耳の内側面と
の接触支点率の低さやその耳内側面全体に一度に同じ力を係けにくい点や
尚その耳掻きを使用する不安感を取り除き安心で安全に使用できる形成と
することやまた見えない耳穴を探る苦難や更にその耳掻きの一端形成とす
る卵形状の網目体の作用性をより向上させる為本考案はそれぞれを解決す
る為に特にその一端形成とする軸部よりも幅広のスプーン形状に該スプー
ン形状の先端部を突出するように網目部材を被覆することによりその網目
部材全周部側面はその軸部より幅広いものとなりその網目部材側面を介し
てその突出部とするスプーン形状部を使用する為その幅広の網目部材全周
部側面で軸部を安定させることにより耳掻きを挿入案内する恐怖感をほぼ
なくし安心して使用できるものとし尚その突出部となるスプーン形状部で
耳穴の最も奥とする凹部状に広がる窪みに蓄積する耳垢を除去できるもの
としまた見えない耳穴をその網目部材の全周部側面により接触支点を気に
することなく一気に耳垢を掻き出すものとしそのスプーン形状部の作用面
と網目部材の全周面をうまく使い分けることのできる形状とする。
【課題を解決するための手段】
【０００５】
本考案１は
棒状軸部と該軸部よりも幅広のスプーン形状部を一体的にしてなる耳掻
きにおいて前記スプーン形状部の一部を軸方向に突出してなる突出部を
形成し、該突出部を除くスプーン形状部と軸部の一部をそれぞれの網目部
材で被覆したことを特徴とする耳掻きを提供。
【０００６】
本考案２は
前記網目部材を縦横の網目部材で形成し該縦網を軸方向の網として形成
してなるそれぞれの網を同一面としたことを特徴とする耳掻きを提供。
【０００７】
本考案３は
前記縦横の網を複数の網で結束し固着されていることを特徴とする耳掻
きを提供。
【０００８】
本考案４は
前記網目部材のそれぞれの目を横幅より該軸方向に長い形状としたこと
を特徴とする耳掻きを提供。
【０００９】
本考案５は
前記網目部材を縦横の網目部材で形成し表面側を縦網とし裏面側を横網
としたことを特徴とする耳掻きを提供。
【００１０】
本考案６は
前記網目部材を縦横の網目部材で形成し表面側を横網とし裏面側を縦
網としたことを特徴とする耳掻き提供。
【００１１】
本考案７は
前記網目部材を１８メッシュ以下の数値メッシュネットとすることを
特徴とする耳掻きを提供。
【００１２】
本考案８は
前記軸部の一端の形成と他端の形成を大きさが異なる同一形成としたこ
とを特徴とする耳掻きを提供。
【００１３】
本考案９は
前記網目部材内部を繊維質の綿としたことを特徴とする耳掻きを提供。
【００１４】
本考案１０は
前記網目部材内部を繊維質の綿としたことを特徴とする耳掻きを提供。
【００１５】
本考案１１は
前記網目部材を滑材を含有したことを特徴とする耳掻きを提供。
【００１６】
本考案１２は
前記滑材を亜鉛としたことを特徴とする耳掻きを提供。
【００１７】
本考案１３は
前記滑材をセラミックスとしたことを特徴とする耳掻きを提供。
【００１８】
本考案１４は
前記滑材を網目部材に塗布したことを特徴とする耳掻きを提供。
【００１９】
本考案１５は
前記滑材をシリコンとしたことを特徴とする耳掻きを提供。
【００２０】
本考案１６は
前記滑材を網目部材に熔着したことを特徴とする耳掻きを提供。
【００２１】
本考案１７は
前記滑材を植物油としたこと特徴とする耳掻きを提供。
【００２２】
本考案１８は
前記滑材を網目部材に含浸させたことを特徴とする耳掻きを提供。
【考案の効果】
【００２３】
本考案１は
棒状軸部と該軸部よりも幅広のスプーン形状部を一体的にしてなる耳掻
きにおいて前記スプーン形状部の一部を軸方向に突出してなる突出部を
形成し、該突出部を除くスプーン形状部と軸部の一部をそれぞれの網目部
材で被覆したことを特徴とする為その軸方向に突出してなる突出部を形
成することにより耳のもっとも奥は凹部状に窪みが広がる為該奥に蓄積
する耳垢を収集できると共にその突出部を除くスプーン形状と軸部の一
部を被覆したことによりその網目部材の全周面で見えない耳穴を気にす
ることなく耳垢を集めることができ更にその網目部材全周側面部はその
軸部より幅広いものとする為その網目部材を介して突出部とするスプー
ン形状部を使用するその網目部材周部で軸部を安定させることができる
為その耳掻きを安心して使用できるものとなる。
【００２４】
本考案２は
前記網目部材を縦横の網目部材で形成し該縦網を軸方向の網として形成
してなるそれぞれの網を同一面としたことを特徴とする為それぞれの網
を同一面とすることにより表面に段差がなくなる為挿入案内が抵抗なく
スムーズに行えると共にその縦網と横網の空間により耳垢を収集できそ
の網目部材の触感は大中小の小触感となり女性肌や敏感な子供肌に適す
ものとなる。
【００２５】
本考案３は
前記縦横の網を複数の網で結束し固着されていることを特徴とする為
それぞれの縦横とする網を樹脂や繊維等の一本を複数で束ね結束し固着
させることによりその束ねる網の表面に耳にやさしい微量な凹凸を形成
することにより耳垢を絡みやすいものとしまたその結束は固着する為そ
の複数間に隙間をなくすことにより複数の束ねる凹部等から耳垢を取れ
やすくする。
【００２６】
本考案４は
前記網目部材のそれぞれの目を横幅より該軸方向に長い形状としたこと
を特徴とする為その目を軸方向に長い長円形や長方形等にすることによ
りその目に蓄積する耳垢をその長さにより除去しやすいものとすると共
にその長円形や長方形は軸方向に対し長いものとする為その網目は仮に
扇風機の羽の回転のようなその羽は円となりやすくその原理と同様な網
目部材の回転や抜き差しの行動案内の速度により網目側面は目を有しに
くい円形になりやすい為目の大きさを縦に保つことにより耳垢が絡みや
すい形成とする。
【００２７】
本考案５は
前記網目部材を縦横の網目部材で形成し表面側を縦網とし裏面側を横網
としたことを特徴とする表面側を縦網とすることにより挿入案内がスム
ーズに行えると共にその耳垢を外に運びやすい形成としその網目部材の
触感は大中小の中触感となる。
【００２８】
本考案６は
前記網目部材を縦横の網目部材で形成し表面側を横網とし裏面側を縦
網としたことを特徴とする表面側を横網とし裏面側を縦網とすることに  
より挿入案内がスムーズに行え且それぞれの横網により耳垢を外に運ぶ
作用性が向上しその網目部材の触感は大中小の中目となる。
【００２９】
本考案７は
前記網目部材を１８メッシュ以下の数値メッシュネットとすることを特
徴とする為仮にその網目部材の目とする正方形幅は１．４１ミリとなりそ
の目幅より大きい目幅のメッシュネットとすることにより耳垢が一時蓄
積しやすい目となると共にその目が大きくなることにより蓄積した耳垢
を除去掃除しやすいようになる。
【００３０】
本考案８は
前記軸部の一端の形成と他端の形成を大きさが異なる同一形成としたこ
とを特徴とする為その耳掻きを細い形状のその耳穴に易しく接すること
を望む場合や少し太くしっかり側面に接する少し荒目を望むそれぞれを
使い分けることができその大きさにより接触する強さをかえることがで
きる。
【００３１】
本考案９は
前記網目部材内部を樹脂製のスポンジとしたことを特徴とする為その内
部スポンジを介して網目部材は自由に形をかえられるものとなりまたそ
のスポンジのクッション性により網と接する耳の内側面を和らげる効果
もある。
【００３２】
本考案１０は
前記網目部材内部を繊維質の綿としたことを特徴とする為その繊維の柔
軟性を介して網目部材の表面は自由に形を変えることができ尚綿は軽く
扱いやすいものとしまたその柔軟性により網と接する耳の内側面を和ら
げる効果もあり更にその綿をその網の目から突出させるに設けることに
よりその網目部材の表面はやさしい心地の接触となる。
【００３３】
本考案１１は
前記網目部材を滑材を含有したことを特徴とする為その網目部材に滑材
を含有成分とすることによりその網目部材の表面は滑るものとなり挿入
案内がスム−ズに行えまたその網目に蓄積する耳垢を除去掃除しやすい
ものとする。
【００３４】
本考案１２は
前記滑材を亜鉛としたことを特徴とする為その滑材を亜鉛とすることに
よりその網目部材は滑度が増しその耳かきの挿入案内をスムーズとし且
耳の内側面易しく接触する網目部材の表面とし尚その網目部材に蓄積す
る耳垢を除去掃除しやすいものとする。
【００３５】
本考案１３は
前記滑材をセラミックスとしたことを特徴とする為その滑材をセラミッ
クスとすることによりその網目部材は滑度が増しその耳掻きの挿入案内
をスムーズとし且耳の内側面易しく接触する網目部材の表面とし尚その
網目部材に蓄積する耳垢を除去掃除しやすいものとする。
【００３６】
本考案１４は
前記滑材を網目部材に塗布したことを特徴とする為その滑材を網目部材
に塗布することによりその網目部材は滑度が増しその耳掻きの挿入案内
をスムーズとし且耳の内側面易しく接触する網目部材の表面とし尚その
網目部材に蓄積する耳垢を除去掃除しやすいものとする。
【００３７】
本考案１５は
前記滑材をシリコンとしたことを特徴とする為その滑材をシリコンとす
ることによりその網目部材の表面に粘着効果を与えることができ且その
網目部材に蓄積する耳垢を水洗い等で洗浄しやすいもいのとなりまたそ
の網目部材は滑度が増しその耳掻きの挿入案内をスムーズとし且耳の内
側面易しく接触する網目部材の表面とし尚その網目部材に蓄積する耳垢
を除去掃除しやすいものとする。
【００３８】
本考案１６は
前記滑材を網目部材に熔着したことを特徴とする為その滑材を網目部材
に熔着することによりその網目部材は滑度が増しその耳掻きの挿入案内
をスムーズとし且耳の内側面易しく接触する網目部材の表面とし尚その
網目部材に蓄積する耳垢を除去掃除しやすいものとする。
【００３９】
本考案１７は
前記滑材を植物油としたこと特徴とする為その滑材を植物性油とするこ
とによりその網目部材は滑度が増しその耳掻きの挿入案内をスムーズに
行えるものとし且耳の内側面易しく接触する網目部材の表面とし尚その
網目部材に蓄積する耳垢を除去掃除しやすいものとしまたその植物油は
耳に優しいものとなる。
【００４０】
本考案１８は
前記滑材を網目部材に含浸させたことを特徴とする為その滑材を網目部
材に含浸させることによりその網目部材は滑度が増しその耳掻きの挿入
案内をスムーズとし且耳の内側面易しく接触する網目部材の表面とし尚
その網目部材に蓄積する耳垢を除去掃除しやすいものとしまたその植物
油は耳に優しいものとなる。
【図面の簡単な説明】
【００４１】
【図１】本考案に係る統合する耳掻きの正面図。
【図２】形成一例概略図。
【図３】形成一例概略図。
【図４】形成一例概略図。
【図５】形成一例概略図。
【考案を実施するための形態】
【００４２】
以下、本考案の好適な実施例を図面に基づいて説明する。
【００４３】
図１は本考案に係る統合する耳掻きの一例を示す正面図である。
【００４４】
図１は棒状軸部４と該軸部４よりも幅広のスプーン形状３部を一体的に
してなる耳掻き１において前記スプーン形状３部の一部を軸方向に突出し
てなる突出部５を形成し、該突出部５を除くスプーン形状３部と軸部の一
部をそれぞれの網目部材２で被覆したことを特徴とすることを示し、自己
で作成した耳掻きの使用例に基づき仮にその中央の大きい網目部材２とす
る該網目部材２を編み込むように形成することによりその網目部材２の表
面に縦網１０と横網１１からなる編み込む段差を形成しその段差によりそ
の網目部材２触感は樹脂網で形成すると大中小で示す大の触感となりその
触感を矢印の太さにより示しまた墨三角形の矢印に沿いその網目部材２後
述とする図で示すものとなるがその表面側１６を横網１１とし裏面側１７
を縦網１０とすることによりその網目部材２表面は前記大中小示す中触感
となり耳穴への挿入案内がスムーズに行えるようになりその触感を矢印の
太さにより示し尚その網目部材２から墨三角形の矢印に沿いその網目部材
２はそれぞれの縦横網を同一面６としたものなりその同一面６により表面
は段差がなくなりその耳に対し易しく接触する大中小で示す小の触感とな
り耳穴への挿入案内をスムーズにすると共にその網目の目１５により耳垢
を除去するものとしその触感を矢印の太さにより示し更にそれぞれの網目
部材２の左記示す図はその網目部材２の横網１１を強調し示したものとな
るがその複数の横網１１によりその耳掻き１を通常の耳掻き１使用のよう
に耳垢を掻き出すことによりその横網１１は耳垢を外に複数横網１１体や
またはその網目のそれぞれの目１５により連続して掻き出すものとしその
網目部材２の全周部は網目とする為見えない耳の内側面の支点を気にしな
くても耳垢が除去できるものとなり尚その網目支点はその耳掻き１の同時
形成となるスプーン形状３により接触面が広いことからなる耳垢は取れる
量が増すこととなり次にそれぞれ示す網目部材２の右記とする図で示す耳
掻き１は縦網１０の作用効果を示したものとなり全て使用例から述べるこ
ととなるがその網目部材２の全周側面は耳の側面に一度に接触させやすい
形成とする為その縦網１０により耳掻き１を回転させることによりそれぞ
れの縦網１０は耳の内側面に接触を保ちながらこびり付く耳垢を掻き滑ら
せその後その網目側面を通常の耳掻き１の耳垢を掻いて外に運ぶという動
作により耳垢を除去するものとし更にそれぞれの網目部材２の後述で記す
その網目部材２からスプーン形状３の一部を軸方向に突出させるようにそ
の網目部材２を該突出部を除くスプーン形状３部と軸部の一部を該網目部
材２で被覆することによりその突出部５により耳のもっとも奥は凹部状に
窪みが広がる為該窪みにある耳垢をその突出部５により取り出しやすくな
るものとし更にその網目部材２全周部は軸部より幅広いものとなる為その
全周部を介してその軸部を安定させることにより挿入案内の恐怖感をほぼ
なくしその突出部５となるスプーン形状３部を使用できるものとなりその
耳掻き１に係る力の係り具合を星印の多さにより示したものとなり一例と
してそのスプーン形状３をその軸方向に対し１８０度未満となればどのよ
うな形成でもよいものとなる。
【００４５】
図２の（ａ）は前記網目部材２を縦横の網目部材２で形成し該縦網１０
を軸方向の網として形成してなるそれぞれの網を同一面６としたことを特
徴とする為それぞれの縦や横の網を同一面６することによりその網目部材
２の表面は網同士重なりのない一面となる為挿入案内がスムーズに行える
と共にその表面と耳の内側面の接触は易しいものとなりその網目の目１５
により耳垢を除去するものとし（ｂ）前記縦横の網を複数の網で結束１３
し固着３７されていることを特徴とする為それぞれの網を複数の網で結束
１３することにより該結束１３する表面は複数の網の重なりによる微段差
を形成する為耳垢がその段差に絡みやすくすると共にその結束１３を固着
３７させることによりその段差は該結束１３表面のみとなる為耳垢が蓄積
するその複数の網に侵入することを防ぐものとしその（ａ）と（ｂ）は耳
の内側面へ接触を易しくする形成となりこれを仮に大中小の小接触とし
（ｃ）は前記網目部材２のそれぞれの目１５を横幅より該軸方向に長い形
状としたことを特徴とすることを示しその軸方向に長い形状のそれぞれの
目１５とすることによりその長さにより一時蓄積する耳垢を除去清掃しや
すいものとし且耳垢が絡みやすい長さとなり（ｄ）は前記網目部材２を縦
横の網目部材２で形成し表面側１６を縦網１０とし裏面側１７を横網１１
としたことを特徴とする為その表面側１６を縦網１０とすることにより挿
入案内がそれぞれの縦網１０を通じてスムーズに行えると共にそれぞれの
縦網１０によりその耳掻き１を回転させることや耳垢を掻き出すことが横
網１１の裏面側１７への表面除外によりその網目側面は滑りやすくなる為
耳に易しく接するものとなりこれを仮に大中小の中接触とし（ｅ）前記網
目部材２を縦横の網目部材２で形成し表面側１６を横網１１とし裏面側１
７を縦網１０としたことを特徴とする為その表面側１６を横網１１とする
ことにより挿入案内がそれぞれの横網１１を通じてスムーズに行えると共
にそれぞれの横網１１によりその耳の奥から耳垢を掻き出す作用性を向上
させその縦網１０を裏面側１７への表面除外によりその網目側面は滑りや
すくなる為耳に易しく接するものとなりこれを仮に大中小の中接触とし
（ｆ）は前記網目部材２を１８メッシュ以下の数値メッシュネット３５と
することを特徴とする為その耳掻き１を自己形成によりメッシュを段階的
に使用し耳垢の付着がよいメッシュネット３５とする網目の目１５の大き
さを推奨するものとしその１８メッシュの網目部材２の網の目１５の正方
形の一辺の長さはおおよそ１．４１ミリとなりその数値メッシュより小さ
いその正方形の一片の長さが大きくなることが望ましく耳垢が付着しやす
い目１５の大きさとなり（ｇ）は前記軸部の一端１９の形成と他端２０の
形成を大きさが異なる同一形成としたことを特徴とする為その一端１９形
成とする網目材部はその大きさにより耳の内側面と接触する強さを変える
ことができることやまたその大きさを異なるものとすることにより時に応
じてその耳掻き１を使い分けできるものとし仮にそれぞれの同一形成体は
同じ大きさとしてもよいとし（ｈ）は前記網目部材２内部８を樹脂製２８
のスポンジ２１としたことを特徴とする為その樹脂製２８のスポンジ２１
はそれぞれの形に形成しやすくまたそのスポンジ２１を介してその網目部
材２側面は自由に形を変えられるようになる為耳の入り組む内側面に対応
できるようになりまたそのクッション性によりその網目部材２の接触は軟
らかくなり尚図示はないがその内部８に形状変形可能な部材５０とするそ
のような弾力体やまた柔軟材２６且弾性体４９等の変形によりそれぞれの
何れかに網目部材２を被覆することによりその形状変形可能な部材５０は
複数形に変化させることが簡易的にできまたその網目部材２の表面形状も
その形状変形可能な部材５０により複数形に変えることが可能となり一例
としてそのスポンジ２１に網目部材２を被覆する自己形成によりその網目
部材２や変形可能な部材５０のそれぞれ全周面を凹凸に変化させることも
可能となり（ｉ）は前記網目部材２内部８を繊維質２２の綿３６としたこ
とを特徴とする為その網目部材２内部８を繊維質２２の綿３６とすること
によりその耳掻き１は重量が軽量となり扱いやすいものとなりまたその綿
３６は前途スポンジ２１と同様に複数形を形成しやすいものとなり尚その
綿３６を介してその網目部材２側面は自由に形を変えられるものとなる為
耳の入り組む内側面に対応できるようになり（ｊ）は前記網目部材２を滑
材２３を含有したことを特徴とする為その耳掻き１はその滑材２３により
挿入案内をスムーズに行えるものとし且その網目部材２に一時蓄積する耳
垢を除去洗浄しやすいものとなり（ｋ）は前記滑材２３を亜鉛２４とした
ことを特徴とする為その滑材２３を亜鉛２４とすることにより挿入案内を
スムーズに行うと共にその亜鉛２４の滑度により一時蓄積する耳垢を除去
洗浄しやすいものとし（ｌ）は前記滑材２３をセラミックス２５としたこ
とを特徴とする為その滑材２３をセラミックス２５とすることにより挿入
案内をスムーズに行うと共にそのセラミックス２５の滑度により一時蓄積
する耳垢を除去洗浄しやすいものとしまたそのセラミックス２５は抗菌効
果を有するものとなる。
【００４６】
図３（ａ）は前記滑材２３を網目部材２に塗布したことを特徴とする為
その滑材２３を網目部材２に塗布することにより挿入案内をスムーズに行
うと共にその網目部材２に一時蓄積する耳垢を除去しやすいものとし（ｂ）
は前記滑材２３をシリコン３３としたことを特徴とする為その滑材２３を
シリコン３３とすることにより挿入案内をスムーズに行うと共にその網目
部材２に一時蓄積する耳垢を除去しやすいものとしそのシリコン３３は水
洗いを行うことができると共に該シリコン３３表面に粘着性を与えること
ができ図示はないが一例としてその粘着性部材にはアクリル酸エステル樹
脂系、弾性粘着系、アクリル粘着系、エマルジョン粘着系等があり（ｃ）
は前記滑材２３を網目部材２３に熔着したことを特徴とする為その滑材２
３を網目部材２に熔着することにより挿入案内をスムーズに行うと共にそ
の網目部材２に一時蓄積する耳垢を除去しやすいものとし（ｄ）は前記滑
材２３を植物油３４としたこと特徴とする為その滑材２３を植物油３４と
することにより挿入案内をスムーズに行うと共にその網目部材２に一時蓄
積する耳垢を除去しやすいものとし仮に一例としてその脂には動物性油や
化学性油且合成油等があり（ｅ）は前記滑材２３を網目部材２に含浸させ
たことを特徴とする為その網目部材２に滑材２３を含浸させることにより
挿入案内をスムーズに行うと共にその網目部材２に一時蓄積する耳垢を除
去しやすいものとしその含浸の一例として精製水やパラベン等の耳垢が付
着しやすい液体や粘着度のある液体をその耳掻き１の含有物としてもよい
とし（ｆ）は形成一例となるがその耳掻き１に係る形成を金属製２９とす
る、樹脂製２８、繊維製２７、木製３０、竹製３１の何れかで形成しても
よいとしそれぞれ示す製材の組み合わせの複数製の段階層や混合部材とし
てもよいものとなりその金属には軽金属や重金属且合金等がありその金属
の代表としてステンレス、チタン、スチール、真鍮、黄銅、アルミニウム、
亜鉛などありまたその樹脂の代表としてその樹脂には天然樹脂や合成樹脂
且熱可塑性樹脂等があり特にその樹脂の代表とするシリコーン樹脂、ＡＢ
Ｓ樹脂、ポリスチレン、アクリル、エラストマー樹脂、ポリ塩化ビニール、
ポリプロピレン、プラスチック、アクリル酸エステル樹脂、加硫ゴム、熱
硬化性樹脂系エラストマー、熱可塑性エラストマーがあり尚その繊維製２
７の一例としてその繊維には植物繊維や合成繊維、天然繊維、化学繊維、
動物繊維、鉱物繊維、食物繊維、半合成繊維、再生繊維、ガラス繊維、炭
素繊維、人造鉱物繊維、天然竹繊維等があり特にその繊維の代表とする天
然羽毛、羽毛、脱脂綿、天然コットン、パルプ、紙などがあり更にその木
製３０の一例として杉や檜、檜葉、松、欅、栂、栗、姫椿等があり尚その
竹製３１の一例として天然竹、人工竹、虎斑竹、淡竹、孟宋竹、亀甲竹、
袋竹、黒竹、スズ竹、図面竹、ゴマ竹、紋竹、煤竹、沈竹等がありその耳
掻き１に抗菌材４０を設けることや含有させて形成してもよいとしまた抗
菌剤４１もありそれぞれの抗菌種別には化学性、植物性、合成性、動物性
特に無機系抗菌剤や塩酸ポリヘキサニド、キトサンを一例としてあげるも
のとし仮にその網目部材２を樹脂を裏面側１７とし表面側１６を繊維とし
てその網目部材２側面に軟らかい感触を与える形成としてもよいとし尚そ
れぞれ示す製材に高硬度な部材４２や低硬度な部材４３を含有成分として
補強することやその網目部２材に滑度を与えてもよいとしまたその一端１
９に係る形成と他端２０形成は同一部材としてもよいものとし（ｇ）は形
成一例となるがその網目部材２の目１５の形を示してものとなりそれぞれ
に値する目１５はその網目部材２の横幅より軸方向に長い形状目１５とし
てもよいしまたその横幅を軸方向より長い形状目としてもよいものなりま
たその目１５は斜めにすることも可能となりそれぞれの何れかの目１５形
状に応じる網形成となる。
【００４７】
図４の（ａ）は網目部材２のそれぞれの網方向の一例を示したものとし仮
にその縦網１０と横網１１に斜めの網を加えてそれぞれの３方向の複数の
網でその網目部材２を形成してもよいものとなり軸方向の一端１９を北と
し且他端２０を南とするその北から３６０度に値するそれぞれの網方向で
形成して複数方向を有す網目部材２としてもよいものとなりその斜め網等
で網目部材２表面に柄、模様、凹凸等が形成できるものとなりその網目部材
２の一例として平織、綾織、平畳織、綾畳織、焼結網等があり（ｂ）は形成
一例となるがその耳掻き１に係る網目部材２や該網目部材２の内部８に係
る部材またはその軸部や該軸部に係る形成に高硬度な部材４２や低硬度な
部材４３を含有成分としてその耳掻き１形成を補強または滑度形成として
もよいものとなり尚その含有成分の一例として抗菌材４０や抗菌剤４１も
ありその抗菌作用物には植物性や動物性且化学性または合成性等があり（ｃ）
は網目部材２の内部８部材を示したものとなり該内部８を弾性体４９とす
ることや柔軟材２６もしくは軟質部材、変形可能な部材５０、空間等の何れ
かで形成してもよいものとなりその弾性体４９の一例として金属製の２９
弾性体４９、樹脂製の弾性体４９、木製の弾性体４９、竹製の弾性体４９、
抗菌材を含む弾性体４９等がありその弾性体４９は熱硬化性エラストマー、
熱可塑性エラストマー、エラストマー系、シリコーンゴム、フッ素ゴム、ウ
レタンゴム、天然ゴム、合成ゴム、熱硬化性系ゴム、熱可塑性系ゴム、エポ
キシ樹脂、高分子弾性体、ゴム、架橋ゴム、加硫ゴム等があり（ｄ）は軸部
形状の一例となりその耳掻きを回転させるのであれば円柱が望ましいしい
しその耳掻き１のスプーン形状３の一側面とする表面をその耳掻き１を見
ずに示すのであれば半円柱が望ましいものとなり（ｄ）は形成一例となるが
その網目部材２を３０メッシュ以上の数値メッシュネットとすることやま
たその３０メッシュ以下の数値メッシュネットとしてもよいものとし（ｅ）
はその網目部材２にその網目の目１５形状と異なるそれぞれの孔４４を形
成したものとなり該それぞれの孔４４により耳垢を蓄積させやすいものと
し仮にその孔４４形状は横幅より軸方向に長い形状でもまた軸方向より横
幅が長い形状でもよいものとし尚それぞれの孔４４は斜めに形成する仮に
軸方向に対し螺旋状に形成してもよいものとなり仮にその耳掻き１形成は
パッケージや容器に入れ該耳掻き１を複数で形成する部材体としてもよい
とする。
【符号の説明】
【００４８】
１  耳掻き
２  網目部材
３  スプーン形状
４  棒状軸部
５  突出部
６  同一面
７  複数の網
８  内部
９  楕円体
１０  縦網
１１  横網
１２  小波
１３  結束
１４  横幅よりも軸方向に長い形状
１５  目
１６  表面側  
１７  裏面側
１８  １８メッショ
１９  一端
２０  他端
２１  スポンジ
２２  繊維質
２３  滑材
２４  亜鉛
２５  セラミックス
２６  柔軟材
２７  繊維製
２８  樹脂製
２９  金属製
３０  木製
３１  竹製
３３  シリコン
３４  植物油
３５  メッシュネット
３６  綿
３７  固着
３８  網み込む
３９  斜め網
４０  抗菌材
４１  抗菌剤
４２  高硬度部材
４３  低硬度部材
４４  孔
４５  曲状の繊維部
４６  わた
【図２】
0003196550.tif 000003
【図３】
0003196550.tif 000004
【図４】
0003196550.tif 000005
【図５】
0003196550.tif 000006
【図１】
0003196550.tif 000007